(57)【要約】【課題】ジョイント本体両端間の内壁に分隔部が設けられ、その分隔部にピストン部が設けられ、そのピストン部は分隔部を閉鎖することができ、液体が分隔部を通れないようになる快速パイプジョイントを提供する。【解決手段】快速パイプジョイントは、ジョイント本体２と、連接部２０と、別の連接部２２と、分隔部と、ピストン部とを備える。連接部２０はジョイント本体２の一端に設けられ、かつ前記ジョイント本体２と連通し、別の連接部２２はジョイント本体２の他端に設けられ、かつ前記ジョイント本体２と連通し、分隔部はジョイント本体２両端間の内壁に設けられ、ピストン部は可動に分隔部内に設けられ、前記ピストン部が連接部２０へ移動すると前記分隔部は通路状態を呈し、前記ピストン部が別の連接部２２へ移動すると前記分隔部は閉鎖される。【選択図】図３
0003118863.tif 000002
【実用新案登録請求の範囲】
【請求項１】
ジョイント本体と、連接部と、別の連接部と、分隔部と、ピストン部とを備え、
連接部はジョイント本体の一端に設けられ、かつ前記ジョイント本体と連通し、
別の連接部はジョイント本体の他端に設けられ、かつ前記ジョイント本体と連通し、
分隔部はジョイント本体両端間の内壁に設けられ、
ピストン部は可動に分隔部内に設けられ、前記ピストン部が連接部へ移動すると前記分隔部は通路状態を呈し、前記ピストン部が別の連接部へ移動すると前記分隔部は閉鎖されることを特徴とする快速パイプジョイント。
【請求項２】
前記連接部は、
ジョイント本体一端の内壁に取り付けられる套環と、
前記套環のジョイント本体に背向ける一端の端面に設けられ、パイプと連接する連接パイプと、
前記套環のジョイント本体に背向ける一端の周縁に巻き付け設けられ、前記ジョイント本体の一端に当て付けられる凸塊と、
を有することを特徴とする請求項１に記載の快速パイプジョイント。
【請求項３】
前記分隔部は、
ジョイント本体の内壁に固定されて設けられるアウターリングと、
アウターリング内に設けられ、ピストン部が内壁に容納されるインナーリングと、
複数のリブであって、一端はアウターリングの内壁と連接し、他端はインナーリングの外壁と連接し、前記インナーリング、前記リブ及び前記アウターリングの間には複数個の開口が形成され、前記ピストン部が連接部へ移動すると前記開口は通路状態を呈し、前記ピストン部が別の連接部へ移動すると前記開口は閉鎖される複数のリブと、
を有することを特徴とする請求項１に記載の快速パイプジョイント。
【請求項４】
前記ピストン部は、
ジョイント本体に対面する一端にピストンが設けられ、前記ピストン部が別の連接部に移動すると前記ピストンは前記開口に当て付けられるコンネクティンロッドと、
コンネクティンロッドの他端に取り付けられ、一端はコンネクティンロッドの他端まで延伸し、他端はコンネクティンロッドの両端間まで延伸するスリーブと、
コンネクティンロッドに取り付けられ、両端はそれぞれ前記リブとスリーブの他端間に当て付けられ、それの弾力によって前記コンネクティンロッドは別の連接部へ移動し、ピストンは前記開口に当て付けられるばねと、
を有することを特徴とする請求項３に記載の快速パイプジョイント。
【請求項５】
前記スリーブの他端は、
前記スリーブの他端外に設けられる別のアウターリングと、
複数の別のリブであって、両端は前記スリーブの他端及び別のアウターリングの内壁間に設けられ、前記スリーブの他端、前記別のリブ及び別のアウターリングは複数個の別の開口を形成する複数の別のリブと、
を有することを特徴とする請求項４に記載の快速パイプジョイント。
【請求項６】
前記ピストンの前記開口に対面する一面には防水パッキンが設けられていることを特徴とする請求項４に記載の快速パイプジョイント。
【請求項７】
別の連接部内は、
中空状を呈し、一端は別の連接部内に固定されて設けられ、他端は別の連接部へ向かってある距離延伸し、隣接する他端にはそれを巻き付ける凹溝が設けられる連接スリーブと、
前記凹溝に設けられる別の防水パッキンと、
を有することを特徴とする請求項４に記載の快速パイプジョイント。
【請求項８】
複数個の快速パイプジョイントと、複数個の別の快速パイプジョイントと、嵌め付け部と、ストッパーとを備え、
複数個の快速パイプジョイントは並列配列によって連接され、
複数個の別の快速パイプジョイントは並列配列によって連接され、前記複数個の快速パイプジョイントと相対して連接され、
嵌め付け部は快速パイプジョイントと前記別の快速パイプジョイントとが相対して連接される個所に設けられ、前記嵌め付け部の一端は快速パイプジョイントの別の快速パイプジョイントと相対して連接する一端の付近に設けられ、前記嵌め付け部の他端は別の快速パイプジョイントの前記快速パイプジョイントと相対して連接する一端の付近に設けられ、
ストッパーは嵌め付け部に嵌め付けられ、前記ストッパーの一部は嵌め付け部の一端に容納され、前記ストッパーの別の一部は嵌め付け部の他端に容納され、嵌め付け部の両側にはそれぞれ当て片が設けられることを特徴とする快速パイプジョイント組。
【考案の詳細な説明】
【技術分野】
【０００１】
本考案は快速パイプジョイントに関するもので、それはジョイント本体両端間の内壁に分隔部が設けられ、その分隔部にはピストン部が設けられ、そのピストン部は分隔部を閉鎖することができ、液体はその分隔部を通れないようになるものである。
【背景技術】
【０００２】
伝統的パイプのジョイントには多くの方式があり、それは実際のニーズによって違う連接方式が採用される。一般に最も多く見られるパイプの連接では、火で加熱してパイプに熱による膨張または冷却収縮の現象を起こし、パイプの継ぎ目を高温によって軟化させ、そしてその継ぎ目を拡張し、更に迅速かつ熟練な方法をもってシールテープが巻き付けてあるパイプを挿入し、それが冷却されればしっかりと連接することができる。
【０００３】
ところが、この方式でパイプの連接を行う場合は次のいくつかの欠点がある。先ず、取り付けるにはかなり熟練した技術がなければ加熱のタイミングを得ることができず、さもなければ過剰または不足によりジョイント部が熔けてしまうかまたは挿入不能の問題が発生する。また、パイプが間違って連接されたり、またはパイプを更新する場合は古いパイプを切断し、そして新しいパイプまたはジョイントを取り付けなければならず、それは材料を浪費するだけでなく、施工時間も長くなってしまう。
【０００４】
前述のようにパイプの連接には熟練して技術レベルの高い作業者が必要であるだけでなく、施工は火で加熱する方式で行わなければならず、施工時間が長い、危険性が高い、並びに材料損耗によるコストが高い等の欠点があるので、ある業者は高速パイプジョイントを開発している。例えば台湾特許第Ｍ255362号の「水管の快速ジョイントの構造改善」があり、図１及び図２に示すように、それは孔付きキャップ１０、強化リング１１、締め付けリング１２及びパイプジョイント１３から構成される。中孔付きキャップ１０は中空のコ形状で、それの内縁にはねじが設けられてパイプジョイント１３の一端にある別のねじ１３０と互いにねじ付けることができ、強化リング１１はリング状のもので、内側には斜めの突起した当壁１１０が設けられ、締め付けリング１２は弾性のあるリングで、それの内側には複数の逆刺状の嵌め刺１２０が設けられてあり、パイプジョイント１３は中空の実体で、それの別のねじ１３０は孔付きキャップ１０にあるねじとねじ付けることができ、締め付けリング１２にある嵌め刺１２０をパイプ内に嵌め付け、かつ強化リング１１の当壁１１０は嵌め刺１２０の脱出または変形を阻止するので、パイプは確実に嵌め付けられて引き出せない効果が達成される。
【０００５】
パイプを取り付ける場合、パイプを孔付きキャップ１０からパイプジョイント１３の中に挿入し、そして少し後へ引き動かし、締め付けリング１２の嵌め刺１２０はパイプの中に嵌め込み、かつ強化リング１１の当壁１１０は嵌め刺１２０の脱出または変形を阻止するので、パイプが確実に嵌め付けられて引き出せない効果が達成される。パイプを入れ替える場合、孔付きキャップ１０を緩めるとパイプを引き出すことができ、再び孔付きキャップ１０を締め付け、新しいパイプを孔付きキャップ１０からパイプジョイント１３の中に挿入し、そして少し後へ引き動かせばパイプの入れ替えが完成するので、このように特別な技術を必要とせず、一般の人でも自分でパイプを取り付けまたは入れ替えることができる。
【０００６】
ところで、このような従来のパイプの快速ジョイントは使用上に於いてやはりいくつかの欠点がある。先ず、パイプジョイント１３を取り外す場合、先に配管のメインバルブを閉めなければならず、さもなければパイプジョイント１３を取り外すと大量の水が噴出す。次は、配管のメインバルブを探し出すのが難しく、施工上の遅延を導く。この外、パイプジョイント１３をパイプから抜き出す場合、配管のメインバルブを閉めても、パイプ付近の配管内部からの水は依然漏れ出し、工事現場を汚しまたは施工の品質を悪くしてしまうので、いかにして上記欠点を改善するかが重要な課題になっている。
【考案の開示】
【考案が解決しようとする課題】
【０００７】
上述パイプの快速ジョイントに使用上に於いて多くの欠点があることに鑑み、本考案の考案者は長年従事した実務経験を生かし、長期間努力して研究と実験を行ったので、遂に本考案の快速パイプジョイントを開発設計することができた。
本考案の目的は快速パイプジョイントの提供であり、それにはジョイント本体が設けられ、そのジョイント本体両端間の内壁には分隔部が固定されて設けられ、その分隔部内には可動にピストン部が設けられ、ジョイント本体の両端にはそれぞれ連接部と別の連接部が設けられてあり、それら連接部はジョイント本体と互いに連通して液体はジョイント本体に流れることができ、ピストン部が連接部へ移動すると分隔部は通路状態になり、ピストン部が別の連接部へ移動すると分隔部は閉鎖状態になって液体が流れ出すことが防止される。
【課題を解決するための手段】
【０００８】
上述の目的を達成するための本考案の快速パイプジョイントは、ジョイント本体と、連接部と、別の連接部と、分隔部と、ピストン部とを備える。連接部はジョイント本体の一端に設けられ、かつ前記ジョイント本体と連通し、別の連接部はジョイント本体の他端に設けられ、かつ前記ジョイント本体と連通し、分隔部はジョイント本体両端間の内壁に設けられ、ピストン部は可動に分隔部内に設けられ、前記ピストン部が連接部へ移動すると前記分隔部は通路状態を呈し、前記ピストン部が別の連接部へ移動すると前記分隔部は閉鎖される。
【考案を実施するための最良の形態】
【０００９】
審査官各位に本考案の目的、形状、構造、装置特徴及びそれの効果に対して更に認識し了解していただくため、ここに実施例を取り上げ、図面と合わせて詳しく説明する。
図３、図４、図５に示すように、本考案の一実施例による快速パイプジョイントにはジョイント本体２が設けられ、そのジョイント本体２には連接部２０、別の連接部２２、分隔部２４及びピストン部２６が含まれ、その中、連接部２０はジョイント本体２の一端に設けられ、かつジョイント本体２と連通し、別の連接部２２はジョイント本体２の他端に設けられ、かつジョイント本体２と連通し、分隔部２４はジョイント本体２の両端間に固定されて設けられ、それによってジョイント本体２内に流れ込む液体はジョイント本体２の他端に流れるようになり、ピストン部２６は可動に分隔部２４内に設けられ、ピストン部２６が連接部２０へ移動すると分隔部２４は通路状態になって液体はその分隔部２４を通ってジョイント本体２の他端へ流れることができ、ピストン部２６が別の連接部２２へ移動すると分隔部２４は閉鎖状態になって液体はその分隔部２４を通ってジョイント本体２の他端へ流れなくなる。このように快速にパイプを連接することができ、かつ液体の流れ出すことが防止される。
【００１０】
図３に示すように、本考案の実施例に於いて、連接部２０には套環２００が設けられ、その套環２００はジョイント本体２の一端の内壁に取り付けられ、その套環２００のジョイント本体２に背向ける一端の端面には連接パイプ２０２が設けられ、その連接パイプ２０２はパイプ内に挿入されてそのパイプは連接部２０に固定され、套環２００のジョイント本体２に背向ける一端付近の周縁には凸塊２０２が巻き付けられて設けられ、その凸塊２０２はジョイント本体２の一端に当て付けられて連接部２０はジョイント本体２に定位されてスライドしないようになる。
【００１１】
図４、図５に示すように、本実施例に於いて、分隔部２４にはアウターリング２４０、複数のリブ２４２及びインナーリング２４４が含まれ、その中、アウターリング２４０はジョイント本体２の内壁に固定されて設けられ、リブ２４２の一端はアウターリング２４０の内壁と連接し、他端はインナーリング２４４の外壁と連接し、ピストン部２６はインナーリング２４４の内壁に容納され、かつインナーリング２４４の内壁で移動することができ、アウターリング２４０、リブ２４２及びインナーリング２４４間には複数個の開口２４６が形成され、それら開口２４６は液体を通すことに供され、ピストン部２６が別の連接部２２へ移動するとその開口２４６は閉鎖状態を呈する。
【００１２】
再び図４、図５に示すように、ピストン部２６にはコンネクティンロッド２６０、スリーブ２６２及びばね２６５が含まれ、その中、コンネクティンロッド２６０のジョイント本体２に対面する一端にはピストン２６１が設けられ、そのコンネクティンロッド２６０が別の連接部２２に移動する状態に於いて、ピストン２６１はちょうど開口２４６に当て付けられ、その開口２４６は閉鎖状態を呈して液体は通れなくなり、スリーブ２６２はコンネクティンロッド２６０の他端に取り付けられ、スリーブ２６２の一端はコンネクティンロッド２６０の他端まで延伸し、そのスリーブ２６２の他端はコンネクティンロッド２６０の両端間まで延伸し、ばね２６５はコンネクティンロッド２６０に取り付けられ、ばね２６５の両端はそれぞれリブ２４２とスリーブ２６２の他端間に当て付けられる。
【００１３】
ばね２６５の弾力によってコンネクティンロッド２６０はジョイント本体２の他端へ押し付けられ、ピストン２６１は開口２４６に当て付けられて液体は通れなくなり。このように、快速パイプジョイントを取り外すときに液体がパイプ内から流れ出すことを防ぐことができ、また別の構造形態が同じなジョイント本体２を別の連接部２２に挿入接続した状態に於いて、コンネクティンロッド２６０の他端は別のジョイント本体２の他端に押し動かされ、ピストン２６１は開口２４６から離れて液体はジョイント本体２を通ることができる。
【００１４】
再び図３に示すように、本実施例に於いて、スリーブ２６２の他端には複数の別のリブ２６３及び別のアウターリング２６４が含まれ、その中、別のリブ２６３の一端はスリーブ２６２の他端に設けられ、それら別のリブ２６３の他端はすべて別のアウターリング２６４の内壁と連接しているので、スリーブ２６２の他端、別のリブ２６３及び別のアウターリング２６４の間に液体を通すことに供される複数個の別の開口２６６が形成される。
【００１５】
再び図４に示すように、本実施例に於いて、ピストン２６１の開口２４６に対面する一面には防水パッキン２６７が設けられ、そのピストン２６１がそれら開口２４６に当て付けられた状況に於いて、防水パッキン２６７は液体がピストン２６１と開口４６の間から流れ出すことを防止することができる。
【００１６】
再び図３、図４に示すように、本実施例に於いて、別の連接部２２内には中空状を呈する連接スリーブ２２０が設けられ、その連接スリーブ２２０の一端は別の連接部２２内に固定されて設けられ、他端は別の連接部２２の外へ向かってある距離延伸し、連接スリーブ２２０に隣接する他端にはその連接スリーブ２２０を巡り回る凹溝２２１が設けられ、その凹溝２２１には別の防水パッキン２２２が設けられてある。このように、二つの構造形状が同じジョイント本体２が相対して連接された場合、連接スリーブ２２０及び別の防水パッキン２２２によって液体がジョイント本体２の連接個所から漏れ出すことを防止することができる。
【００１７】
図６、図７に示すように、本考案の一実施例による快速パイプジョイント組には複数個の快速パイプジョイント４及び複数個の別の快速パイプジョイント５が含まれ、その中、複数個の快速パイプジョイント４は並列配列によって連接され、別の快速パイプジョイント５も並列配列によって連接され、かつそれら別の快速パイプジョイント５はそれぞれ快速パイプジョイント４と相対して連接され、それら快速パイプジョイント４とそれら別の快速パイプジョイント５が相対して連接される個所には少なくとも一つの嵌め付け部６が設けられ、その嵌め付け部６の一端は快速パイプジョイント４近くのそれと別の快速パイプジョイント５が相対して連接される一端に設けられ、嵌め付け部６の他端は別の快速パイプジョイント５近くのそれと快速パイプジョイント４が相対して連接する一端に設けられ、その嵌め付け部６はストッパー７と嵌め付けられ、そのストッパー７の一部は嵌め付け部６の一端内に容納され、そのストッパー７の他の一部は嵌め付け部６の他端内に容納される。このようにすれば快速に大量のパイプを連接することができ、快速パイプジョイント４、５はよりしっかりと一体に連接することができる。
【００１８】
再び図６、図７に示すように、本実施例に於いて、快速パイプジョイント４及び別の快速パイプジョイント５の構造形状は同じで、ともにジョイント本体２が設けられ、嵌め付け部６はジョイント本体２の相対して連接する個所に設けられ、ストッパー７はフック７０及びスライドピース７１から構成され、その内フック７０はストッパー７の一端に設けられ、そのフック７０は嵌め付け部６の他端に設けられてあるフックピース６２に引っ掛けることができ、ストッパー７の他端がジョイント本体２に接近した状態に於いて、フック７０はフックピース６２から離れ、スライドピース７１はそのストッパー７の両端間に設けられ、そのスライドピース７１が嵌め付け部６の一端に設けられてある容納溝６１内に容納されると、快速パイプジョイント４、５はよりしっかりと一体に連接することができる。
【００１９】
以上に述べたのは本考案の最適具体的実施例だけであり、本考案の構造特徴はそれに局限されるものではなく、その技術を熟知するいかなるものが本考案の領域内に於いて簡単に思い及ぶことができる変化または改修はすべて本考案の請求範囲内に含まれるものとさせていただく。
【図面の簡単な説明】
【００２０】
【図１】従来の快速パイプジョイントの構造を示す分解図である。
【図２】従来の快速パイプジョイントの構造を示す断面図である。
【図３】本考案の実施例による快速パイプジョイントを示す分解図である。
【図４】本考案の実施例による快速パイプジョイントの断面図である。
【図５】本考案の実施例による快速パイプジョイントの分隔部を示す模式図である。
【図６】本考案の実施例による快速パイプジョイントが相対して連接された状態を示す模式図である。
【図７】本考案の実施例による快速パイプジョイントが相対して連接された状態を示す分解図である。
【符号の説明】
【００２１】
２  ジョイント本体、４  快速パイプジョイント、５  別の快速パイプジョイント、６  嵌め付け部、７  ストッパー、２０  連接部、２２  別の連接部、２４  分隔部、２６  ピストン部、６１  容納溝、６２  フックピース、７０  フック、７１  スライドピース、２００  套環、２０２  連接パイプ、２０４  凸塊、２２０  連接スリーブ、２２１  凹溝、２２２  別の防水パッキン、２４０  アウターリング、２４２  リブ、２４４  インナーリング、２４６  開口、２６０  コンネクティンロッド、２６１  ピストン、２６２  スリーブ、２６３  別のリブ、２６４  別のアウターリング、２６５  ばね、２６６  別の開口、２６７  防水パッキン、
【図１】
0003118863.tif 000003
【図２】
0003118863.tif 000004
【図３】
0003118863.tif 000005
【図４】
0003118863.tif 000006
【図５】
0003118863.tif 000007
【図６】
0003118863.tif 000008
【図７】
0003118863.tif 000009